(57)【要約】【課題】本発明は、使用においてより安全な使い捨て注射器を提供することを目的とする。【解決手段】使い捨て注射器は、針ユニット（４０）に取り付けられるための形成された上位部分（３２３）及び筒（２０）の通路（２１）に保持された下位部分（３２２）を含む針シート部（３０）を有する。プランジャー（５０、７０）は、通路（２１）内で可動な茎部（５３、７３）、茎部（５０ａ、７３）によって移動され得るように通路（２０）と密封的に接している周辺係合部（６０）、及び、プランジャー（５０，７０）が押圧され続けることによって周辺係合部（６０）が針シート部（３０）の端部（３３）に押し下げられると把持部へと移動して、把持部にて保持されるヘッド部（５０ｂ）を有し、この構成によって、針シート部（３０）は、通路（２１）に導かれ、使い捨て注射器が処分される。【選択図】  図３
2005065708.tif 000002
【特許請求の範囲】
【請求項１】
針ユニット（４０）に使用される使い捨て注射器であって：
縦方向に軸（Ｘ）に平行して配された対向する開口下端（２１１）と開口上端（２１２）とを有し、  前記軸（Ｘ）を囲んでいる通路（２１）を収容する内周壁（２２１）を設けた筒（２０）；
前記開口下端（２１１）から外方向に延びた外側部分（５０１）と該外側部分（５０１）に対して縦方向に対向する内側部分（５０２）とを有し、前記筒（２０）の前記通路（２１）内で可動に配された茎部（５０ａ、７３）、及び、前記外側部分（５０１）から延び、茎部（５０ａ、７３）を前記通路（２１）に沿って移動させるために作動される被作動端（５２）を有するプランジャー（５０、７０）；
を有するところの使い捨て注射器において：
前記内周壁（２２１）は、前記開口下端（２１１）の近傍に配された大径部分（２１３）と前記開口上端（２１２）の近傍に配された小径部分（２１４）とを有し、該大径部分（２１３）と該小径部分（２１４）とがともに第一周辺段部（２１５）を形成し；さらに、
当該使い捨て注射器は、
前記開口下端（２１１）から前記開口上端（２１２）へと前記通路（２１）に挿入され、前記針ユニット（４０）に取付可能に形成された管状針シート部（３０）を有し、
該管状針シート部（３０）は、
前記第一周辺段部（２１５）に突き当たる下周辺端部（３３）と、
前記下周辺端部（３３）に対して縦方向に対向する上周辺端部（３２１）と、
前記下周辺端部（３３）と前記上周辺端部（３２１）との間に配された周辺シート壁（３２）とを、
有し、
該周辺シート壁（３２）は、
前記軸（Ｘ）を囲んでダクト（３１）を収容し、かつ把持部を含む内管壁面（３２４）と、
外管壁面（３２５）とを、
有し、
該外管壁面（３２５）は、
前記下周辺端部（３３）の近傍に配された下位部分（３２２）と、
前記上周辺端部（３２１）の近傍に配され、該下位部分（３２２）に対向する上位部分（３２３）とを、
有し、
前記管状針シート部（３０）が前記通路に挿入された後に前記上周辺端部（３２１）が開口上端（２１２）へと押し上げられると、前記下位部分（３２２）は、使用時の位置まで導かれ、この位置にて、前記下位部分（３２２）は、前記小径部分（２１４）に係合し、前記下周辺端部（３３）が第一周辺段部（２１５）に突き当たって、前記下位部分（３２２）と前記小径部分（２１４）との間に第一摩擦力が生じることによって、前記下位部分（３２２）は、前記小径部分（２１４）に保持され、また、前記上周辺端部（３２１）が前記第一摩擦力に抵抗して前記大径部分（２１３）を通過して前記開口下端（２１１）へと移動されると、前記針シート部（３０）は、引っ込み時の位置まで導かれ、この位置にて、前記下位部分（３２２）は、前記小径部分（２１４）に対して離隔され、前記下周辺端部（３３）は、前記第一周辺段部（２１５）に対して離隔され；さらに、
前記プランジャー（５０、７０）は、
前記内側部分（５０２）に挿着されて、第二摩擦力によって前記内側部分（５０２）に保持され、前記大径部分（２１３）に対して密封的に、かつ、前記使用時の位置へと移動可能に摺動可能に設けられている周辺係合部（６０）と、
前記内側部分（５０２）から内管壁面（３２４）の前記把持部へと延長して配されたヘッド部（５０ｂ）とを、
有し、
前記内側部分（５０２）によって前記周辺係合部（６０）は前記下周辺端部（３３）に係合させられ、前記小径部分（２１４）へと進行し続ける動作から生じ前記第二摩擦力よりも大きい第三の力によって前記周辺係合部（６０）は前記下周辺端部（３３）に押し下げられ、前記周辺係合部（６０）は、前記周辺端部（３３）に保持されると、前記ヘッド部（５０ｂ）は前記把持部へと移動へと進行することが可能となり、前記第一摩擦力より大きい第四摩擦力によって前記把持部で支持される、
ことを特徴とする使い捨て注射器。
【請求項２】
請求項１記載の使い捨て注射器であって、前記下位部分（３２２）と前記小径部分（２１４）のいずれかの一方に保持溝（２２３）を形成し、前記下位部分（３２２）と前記小径部分（２１４）のいずれかの他方に保持突起部（３２７）を形成し、前記第一摩擦力を生じさせるために前記下位部分（３２２）が前記使用時の位置に導かれると、前記保持突起部（３２７）が前記保持溝（２２３）に保持される、ところの使い捨て注射器。
【請求項３】
請求項１記載の使い捨て注射器であって、前記把持部には、前記軸（Ｘ）に対して半径方向に前記内管壁面（３２４）から内側へと延長された凹部（３２６）を設けることによって、前記下周辺端部（３３）に隣接する第二周辺段部（３２９）が形成され、前記ヘッド部（５０ｂ）には、周辺突出部（５４１、７４１）が形成され、該周辺突出部（５４１、７４１）が前記凹部（３２６）に挿入されて前記第二周辺段部（３２９）に突き当たることにより、前記第四摩擦力が生じ、前記針シート部（３０）が前記引っ込み時の位置に支持される、ところの使い捨て注射器。
【請求項４】
請求項３記載の使い捨て注射器であって、前記ヘッド部（５０ｂ）は、前記軸（Ｘ）沿いに前記周辺突出部（５４１）から２つの分割半体（５５２、５５３）まで延長されたスピンドル部（５５）を有し、前記分割半体（５５２、５５３）は、上端アンカー縁（５５４、５５５）を有し、縦方向に直角に互いから離間して、かつ、それぞれ前記周辺突出部（５４１）から離れて配されている前記分割半体（５５２、５５３）が、前記上周辺端部（３２１）へと進行すると、前記分割半体（５５２、５５３）は、互いに近寄るように前記内管壁面（３２４）によって偏向され、一旦、前記分割半体（５５２、５５３）とが前記上周辺端部（３２１）を超えるところまで前進すると、前記上端アンカー縁（５５４、５５５）は、前記上周辺端部（３２１）に係合される、ところの使い捨て注射器。
【請求項５】
請求項４記載の使い捨て注射器であって、前記内管壁面（３２４）の直径が前記下周辺端部（３３）から前記上周辺端部（３２１）へと徐々に短くなり、前記スピンドル部（５５）の外径が前記周辺突出部（５４１）から前記分割半体（５５２、５５３）へと徐々に短くなっている、ところの使い捨て注射器。
【請求項６】
請求項３記載の使い捨て注射器であって、前記周辺係合部（６０）は変形可能な材料で形成され、また、前記下周辺端部（３３）に近傍な上端面（６４）と、該上端面（６４）に対して縦方向に対向し前記下周辺端部（３３）に遠方な下端面（６５）と、前記上端面（６４）と前記下端面（６５）との間に配され前記軸（Ｘ）側に窪んでいる外周面（６３）とを有する、ところの使い捨て注射器。
【請求項７】
請求項１記載の使い捨て注射器であって、前記下周辺端部（３３）は、前記下位部分（３２２）が前記使用時の位置にある場合に前記第一周辺段部（２１５）に突き当たる上端面（３３１）及び前記周辺係合部（６０）によって突き当たり、押し下げられる下端面（３３２）を有する、ところの使い捨て注射器。
【請求項８】
請求項１記載の使い捨て注射器であって、前記小径部分（２１４）と前記下位部分（３２２）との間に配されるスプライン部（２１６、３２８）を設け、前記小径部分（２１４）と前記下位部分（３２２）との関係回転を防止する、ところの使い捨て注射器。
【請求項９】
請求項１記載の使い捨て注射器であって、内側方向、かつ、前記大径部（２１４）の半径方向に突出し、前記開口下端（２１１）に隣接して形成された突起リング（２１７）と、前記内側部分（５０２）を囲んで前記ヘッド部（５０ｂ）に隣接して配され、前記突起リング（２１７）に係合可能な周辺フランジ（５１）とを有する、ところの使い捨て注射器。
【請求項１０】
請求項９記載の使い捨て注射器であって、前記内側部分（５０２）は前記周辺フランジ（５１）の近傍に脆弱部（５３１、７３１）を有し、前記周辺フランジ（５１）が前記突起リング（２１７）に突き当たると前記脆弱部（５３１、７３１）は前記開口下端（２１１）から開口下端（２１１）から突出し前記茎部（５０ａ、７３）は前記脆弱部（５３１、７３１）において前記プランジャー（５０，７０）から破断し易くなる、ところの使い捨て注射器。
【請求項１１】
請求項３記載の使い捨て注射器であって、前記周辺突出部（５４１、７４１）は、略空洞状に形成され、柔軟性の向上を図る、ところの使い捨て注射器。
【請求項１２】
請求項１記載の使い捨て注射器であって、前記筒（２０）は放射状に前記内周壁（２２１）の反対側に配された外周壁（２２２）を有し、該外周壁（２２２）は前記開口上端（２１２）の近傍にスリーブ部（２２２１）を有し、当該使い捨て注射器は更に先端保護部（４３）を有し、該先端保護部（４３）は前記スリーブ部（２２２１）に被さるように形成された内部スリーブ端（４３１）を設けて前記針ユニット（４０）の針（４１）を保護する、ところの使い捨て注射器。
【請求項１３】
請求項１２記載の使い捨て注射器であって、前記スリーブ部（２２２１）及び前記内部スリーブ端（４３１）には、それぞれ複数の摩擦リブ（２２４、４３３）が形成されている、ところの使い捨て注射器。
【請求項１４】
請求項１３記載の使い捨て注射器であって、前記開口上端（２１２）は前記内周壁（２２１）の前記小径部分（２１４）から前記軸（Ｘ）方向に延びた包囲端壁（２１９）を有し、該包囲端壁（２１９）は前記軸（Ｘ）を囲んでいる貫通孔（２１０）を収容し、該貫通孔（２１０）は前記針ユニット（４０）の前記針（４１）を通過させるように設けられている、ところの使い捨て注射器。
【請求項１５】
請求項１記載の使い捨て注射器であって、前記上位部分（３２３）及び前記上周辺端部（３２１）は、前記下位部分（３２２）が使用時の位置に存在する場合は、前記開口上端（２１２）から外へと延び、当該使い捨て注射器は更にハブ（４２）と前記先端保護部（４３）とを有し、前記ハブ（４２）は前記針ユニット（４０）の前記針（４１）を保持し得るように設けられ、前記上位部分（３２３）に被さるように配され、かつ、スリーブ部（４２３）を有し、前記先端保護部（４３）は前記スリーブ部（４２３）に被さるように形成された内部スリーブ端（４３１）を設けて前記針（４１）を保護する、ところの使い捨て注射器。
【発明の詳細な説明】
【技術分野】
【０００１】
本発明は、使い捨て注射器に関するものであり、特に、使用後に針ユニットを筒に引込ませることにより注射器の安全な使用及び処分を可能とする使い捨て注射器である。
【背景技術】
【０００２】
図１において、筒１１、プランジャー１２及び針ユニット１３を含む従来の使い捨て注射器組立体１０が示されている。筒１１は、開口ネック端部１１１を有し、そこには、針ユニット１３のハブ１３１が取り付けられている。また、筒１１は、開口後端を有し、そこからプランジャー１２が摺動可能に挿入される。プランジャー１２の先端１２１は、しっくりと、かつ、Ｌの距離の範囲内で筒１１の内部側面に対して摺動可能に嵌められる。針ユニット１３は、さらに、ハブ１３１から延長した針１３２とハブ１３１の外周縁に嵌められる開口端を設けたキャップ１３３とを有し、針１３２は、キャップ１３３によって収容されている。注射器組立体１０の使用に際して、キャップ１３３はハブ１３１から取り外され、また、その使用後には、針１３２を覆うべく、元通りに取り付けられる。よって、針ユニット１３は、針１３２を覆っているキャップ１３３と共に筒１１から取り外される構成となっている。
【０００３】
しかしながら、医療や看護の業務に携わり、従来からの注射器組立体１０を取り扱う人々は、使い捨て注射器組立体１０を使用した後に、元通りにキャップ１３３をハブ１３１へと取り付けるに際して、針１３２を自らに刺してしまう危険性に晒される。これは、キャップ１３３の開口端が狭いことによるものである。さらに、前進されるプランジャー１２の先端がＰ地点で終結するため、開口ネック端部１１１にて薬液や血液が残ることもあり、注射器組立体１０を取り扱う人々は、針１３２を誤って自らに刺してしまったことにより、それら薬品等によって汚染される可能性もある。
【考案の開示】
【発明が解決しようとする課題】
【０００４】
本発明は、従来技術における前記問題を解消し、使用においてより安全な使い捨て注射器を提供することを目的とする。
【課題を解決するための手段】
【０００５】
本発明によるところ、使い捨て注射器は、軸を包囲するとともに縦方向に前記軸に平行して配された対向する開口下端と開口上端を設けた通路を収容する内周を有する筒を有する。前記内周壁は、開口下端の近傍に配された大径部分と開口上端の近傍に配された小径部分とを有し、該大径部分と該小径部分とが協働して第一周辺段部を形成する。
【０００６】
管状の針シート部は、前記開口下端から前記開口上端へと前記通路に挿入可能に設けられている。該針シート部は、前記第一周辺段部に突き当たるように配された下周辺端部と、前記下周辺端部に対して縦方向に対向する上周辺端部と、前記下周辺端部と前記上周辺端部との間に配された周辺シート壁とを有する。該周辺シート壁は、前記軸を包囲することによってダクトを収容し、把持部を有する内管壁面と、外管壁面とを、有する。該外管壁面は、前記下周辺端部の近傍に配された下位部分と、前記上周辺端部の近傍に配され、該下位部分に対向する上位部分とを、有する。前記管状針シート部が前記通路に挿入された後に前記上周辺端部が開口上端へと押し上げられると、前記下位部分は、使用時の位置まで導かれ、この位置にて、前記下位部分は、前記小径部分に係合し、前記下周辺端部が第一周辺段部に突き当たって、前記下位部分と前記小径部分との間に第一摩擦力が生じることによって、前記下位部分は、前記小径部分に保持される。更に、前記上周辺端部が前記第一摩擦力に抵抗して前記大径部分を通過して前記開口下端へと移動されると、前記針シート部は、引っ込み時の位置まで導かれ、この位置にて、前記下位部分は、前記小径部分に対して離隔され、前記下周辺端部は、前記第一周辺段部に対して離隔される。前記外管壁面は、針ユニットに嵌るように設けられている。
【０００７】
プランジャーは、前記通路内で可動に配され、縦方向に対向する内側部分と外側部分とを有する茎部を含む。前記外側部分は、前記通路の前記開口下端から外方向に延びている。通路に沿って茎部を移動させるために作動される被作動端が設けられている。周辺係合部は、前記内側部分に挿着されて、第二摩擦力によって前記内側部分に保持され、前記大径部分に対して密封的に、かつ、使用時の位置への移動を可能ならしめるべく摺動可能に設けられている。ヘッド部は、前記内側部分から内管壁面の前記把持部へと延長して配されている。前記内側部分によって前記周辺係合部は前記下周辺端部に係合させられ、前記小径部分へと進行し続ける動作から生じ前記第二摩擦力よりも大きい第三の力によって前記周辺係合部は前記下周辺端部に押し下げられ、前記周辺係合部は、前記周辺端部に保持されると、前記ヘッド部は前記把持部へと移動することが可能となり、前記第一摩擦力より大きい第四摩擦力によって前記把持部で支持される。
【０００８】
本発明の特徴及び利益は以下の本発明の実施例の説明及び図面を参照することによって、より明らかになる。
【発明を実施するための最良の形態】
【０００９】
以下、本発明について、より具体的な説明をする。尚、以下の説明において、同じ構成部分については、同じ符号をもって表されている。
【実施例１】
【００１０】
図２、図３、及び図４において、針ユニット４０と共に注射器組立体を構成して使用される本発明に係る使い捨て注射器の第一実施例を示している。針ユニット４０は、ハブ４２とハブ４２に固定されている針４１を含んでいる。ハブ４２は、スリーブ部４２３を有し、そのスリーブ部４２３には縦方向に延びた複数の摩擦リブ４２１が形成されている。内部スリーブ端４３１を有する先端保護部４３は、針４１を保護すべく、スリーブ部４２３を被さるように形成されている。また、先端保護部４３は、摩擦リブ４２１と係合すべく、縦方向に延びた複数の摩擦リブ４３３を有している。
【００１１】
本実施例における注射器には、筒２０、管状の針シート部３０、及びプランジャー５０が含まれている。
【００１２】
筒２０は、軸Ｘを包囲し通路２１を収容する内周壁２２１を有している。通路２１は、縦方向において軸Ｘに平行して、対向する開口下端２１１と開口上端２１２とを有している。内周壁２２１は、開口下端２１１の近傍に大径部２１３と開口上端２１２の近傍に小径部２１４を有し、大径部２１３と小径部２１４とが協働して第一周辺段部２１５をお互いの間に形成している。筒２０の外周壁２２２の開口下端２１１には、指掛けフランジ２３が設けられている。小径部２１４は、第一周辺段部２１５の近傍に保持溝２２３と、第一周辺段部２１５から離れていて軸方向に延長された摩擦スプライン部２１６とを設けている。内側方向、かつ、大径部２１４の半径方向に突出する突起リング２１７が開口下端２１１に隣接して形成されている。
【００１３】
管状の針シート部３０は、通路２１内に開口下端２１１から開口上端２１２まで挿入可能に配されている。針シート部３０は、第一周辺段部２１５に突き当たるように配され、大径部２１３に密閉的に突き当たる外周面３３３を有する下周辺端部３３と、下周辺端部３３に対して縦方向に対向して配された上周辺端部３２１と、下周辺端部３３と上周辺端部３２１との間に配された周辺シート壁３２とを有している。
【００１４】
シート壁３２は、軸Ｘを囲んでダクト３１を収容する内管壁面３２４を有している。ダクト３１は、その直径が下周辺端部３３から上周辺端部３２１へと徐々に小さくなるように形成されている。内管壁面３２４は、把持部を形成している。本実施例では、把持部は、軸Ｘに対して半径方向に内管壁面３２４から内側へと延長された凹部３２６を設けており、これにより、下周辺端部３３に近接した第二周辺段部３２９が形成される。
【００１５】
シート壁３２は、さらに、下位部分３２２と上位部分３２３とを含む外管壁面３２５を有している。下位部分３２２は、下周辺端部３３の近傍に配されている。下位部分３２２には、保持突起部３２７が形成されている。管状針シート部３０が通路２１内に挿入され、上周辺端部３２１が筒２０の開口上端２１２から外へと押し出されると、図４に示されているように、下位部分３２２は、使用時の位置へと導かれる。この位置では、保持突起部３２７と保持溝２２３とが係合し保持されることによって、第一摩擦力が生じ、この第一摩擦力によって、下位部分３２２は小径部２１４と係合し、保持される。これとともに、下周辺端部３３の上端面３３１は、筒２０の第一周辺段部２１５に突き当たる。下位部分３２２は、さらに、軸方向に延びる摩擦スプライン部３２８を有している。摩擦スプライン部３２８と小径部２１４の摩擦スプライン部２１６とが協働する事によって、針シート部３０と筒２０との関係回転を防止できる。上位部分３２３は、下位部分３２２に対向し、上周辺端部３２１の近傍に配され、かつ、ハブ４２と針シート部３０のダクト３１とを連通させるために針ユニット４０のハブ４２をその上に挿着可能に形成されている。
【００１６】
プランジャー５０は、筒２０の通路２１内で可動な茎部５０ａを有している。茎部５０ａは、互いに傾斜して配された複数の羽根プレート５３と、羽根プレートの上端に配された周辺フランジ５１と、周辺フランジ５１から延びた連結シャンク５４と、保持突起部５４２とを有している。羽根プレート５３は、下方向へと先細に形成されている。また、茎部５０ａは、縦方向に対向する内側部分５０２と外側部分５０１とを有している。外側部分５０１は、筒２０の開口下端２１１から外へと延びている。外側部分５０１から親指掛けである被作動端５２が延在し、茎部５０ａを通路２１に沿って移動可能に作動される。
【００１７】
プランジャー５０は、さらに、ヘッド部５０ｂを有し、該ヘッド部５０ｂは、内側部分５０２の保持突起部５４２から針シート部３０の把持部へと延びるテーパー状の周辺突出部５４１と、軸沿いに周辺突出部５４１から２つの分割された分割半体５５２、５５３まで延びるスピンドル部５５とを含んでいる。分割半体５５２、５５３は、縦方向に直角に互いから離間され、それらの間に溝５５１が設けられている。分割半体５５２と５５３には、それぞれ上端アンカー縁を有している。好ましくは、スピンドル部５５の外径を周辺突出部５４１から分割半体５５２、５５３へと小さくなるようにスピンドル５５を形成する。更に、周辺突出部５４１及び保持突起部５４２は、柔軟性の向上を図るべく、略空洞状に形成されている。
【００１８】
内側部分５０２の保持突起部５４２全部及び周辺突出部５４１の一部に挿着して保持できるように変形可能な周辺係合部６０（例えば、弾力性を有する材料で構成されたもの）が設けられ、これにより第二摩擦力が生成されるのである。周辺係合部６０は、針シート部３０の下周辺端部３３に近傍な上端面６４と、縦方向に上端面に対向し、針シート部３０の下周辺端部３３に遠方な下端面６５と、それらの間に配された外周面６３とを有している。下端面６５は、空間Ｓをもって、周辺フランジ５１から離間されている。外周面６３は、筒２０の大径部２１３に対して、密封的に、かつ、茎部５０ａと動くために摺動可能に設けられている。尚、周辺係合部６０が大径部２１３に対して適切に摺動し得るように、外周面６３をＸ軸よりに窪ませて、外周面６３と大径部２１３との接触面積を減らすことが好ましい。
【００１９】
図５において、使用に際して、プランジャー５０は、押圧され、周辺係合部６０の上端面６４は、針シート部３０の下周辺端部３３の下端面３３２に突き当たるように前へと押し込まれる。スピンドル部５５は、上方向に先細に、かつ、針シート部３０の内管壁面３２４に一致するように形成されているため、通路２１内の薬液が、針ユニット４０を介して、ほぼ完全に注入されることが可能となる。
【００２０】
その後、図６において、内側部分５０２と周辺係合部６０との第二摩擦力に抵抗して、プランジャー５０が、第三の力によって、小径部２１４へと更に押し進められると、周辺係合部６０は、下周辺端部３３によって、変形される。これによって、空間Ｓは狭くなり、ヘッド部５０ｂの周辺突出部５４１が針シート部３０の凹部３２６まで進行し、第二周辺段部３２９に突き当たる。
【００２１】
一方、スピンドル部５５の分割半体５５２、５５３は、上周辺端部３２１へと進行すると、分割半体５５２と５５３は、互いに近寄るように内管壁面３２４によって偏向される。一旦、分割半体５５２、５５３とが上周辺端部３２１を超えるところまで前進すると、上端のアンカー縁５５４、５５５は、上周辺端部３２１と係合される。これによって、周辺突出部５４１と第二周辺段部３２９との間の摩擦力に加えて、第四摩擦力が生成され、保持突起部３２７と保持溝２２３との第一摩擦力よりも大きいものとなる。
【００２２】
図７に示されているように、使用後においては、プランジャー５０の外側部分５０１は、後方に引っ張られ、指掛けフランジ２３から離れる。これによって、使用後の針ユニット４０が取り付けられている針シート部３０は、上周辺端部３２１が引込み位置へと至るように、開口上端２１２を経由して、通路２１内に引込まれる。周辺フランジ５１が突起リング２１７に突き当たると、プランジャー５０は、それ以上移動することができなくなる。これによって、周辺係合部６０が開口下端２１１から取り外されることが抑制される。このような状態で、使用済みの針ユニット４０は、筒２０の通路２１内に収納され、安全に処分されることが可能となる。
【００２３】
従って、利用者が誤って針を刺すことや貫通させることの可能性は低い。よって、針の使用及び処分の安全性向上を図ることができる。
【００２４】
更に、内側部分５０２にある羽根プレート５３には、周辺フランジ５１の近傍に脆弱部５３１が設けられている。これを設けることによって、プランジャー５０が引込まれて周辺フランジ５１が突起リング２１７に突き当たった際に、脆弱部５３１は開口下端２１１から延在した状態となり、プランジャー５０の茎部５０ａを脆弱部５３１にて簡単に破断することができ、処分が容易となる。
【実施例２】
【００２５】
図８は、第一実施例に似ている構成を有する本発明に係る使い捨て注射器に第二実施例を示している。第一実施例と第二実施例の差は、第一実施例のようなスピンドル部が第二実施例に設けていないことである。弾力性を有する周辺係合部６０が保持突起部７４２の全部と周辺突出部７４１の一部とを覆って保持可能に設けられている。係合を図るべく、周辺係合部６０がプランジャー７０の茎部７３によって上方に押し上げられ、針シート部３０の下周辺端部３３に押し下げられると、周辺係合部６０は、下周辺端部３３によって保持される。これによって、図９に示されているように、周辺突出部７４１は、凹部３２６内に保持される。このようにして、図１０に示されているように、注射後においては、針シート部３０と針ユニット４０とを筒２０の通路２１内に引込められ、プランジャー７０の茎部７３を脆弱部７３１にて破断することができ、注射器の安全な処分が図られる。
【実施例３】
【００２６】
図１１及び図１２は、前記実施例に似ている構成を有する本発明に係る使い捨て注射器に第三実施例を示している。前記実施例と第三実施例の差は、第三実施例において、針４１と良好に係合できるように、管状の針シート部３０のダクト３１を上位部分３２３にて比較的小さな直径をもって形成していることである。これによって、ハブ４２を設ける必要が無くなる。
【００２７】
更に、第三実施例において、図２に示されるスリーブ部４２３の代わりに、開口上端２１２に近接してスリーブ部２２２１が筒２０の外周壁２２２に設けられている。そのスリーブ部２２２１には、複数の摩擦リブ２２４が形成されている。これによって、スリーブ部２２２１は、複数の摩擦リブ４３３をその内部スリーブ端４３１に設けている先端保護部４３と良好に係合することができ、針４１を保護することができる。
【００２８】
よって、第三実施例に係る注射器組立体を構成する部分（部品）の数を減らすことが可能となる。また、上記と同様に、注入動作の後は、針シート部３０と針４１とを筒２０の通路２１内に引込めることができる。
【実施例４】
【００２９】
図１３は、前記実施例に似ている構成を有する本発明に係る使い捨て注射器に第四実施例を示しており、第四実施例における使い捨て注射器は、１ｍｌなど極めて少量の注入容量のために使用される。よって、第四実施例における筒２０、針シート部３０、針４１、プランジャー７０、及び変形可能な周辺係合部６０の大きさは、それぞれ前記実施例のものよりも小さく形成されている。
【実施例５】
【００３０】
図１４及び図１５は、それぞれ前記第三実施例及び前記第四実施例に似ている構成を有する本発明に係る使い捨て注射器の第五実施例及び第六実施例を示している。第三実施例及び第四実施例と第五実施例及び第六実施例との差は、開口上端２１２が筒２０の内周壁２２１の小径部分２１４からＸ軸方向に延びた包囲端壁２１９を有し、その包囲端壁２１９がＸ軸を囲んでいる貫通孔２１０を収容していることである。このようにして、針４１は貫通孔２１０を通過することができ、開口上端２１２から外へと突き出ることが可能となる。
【実施例６】
【００３１】
図１５に示される第六実施例は、第五実施例と似た構成を採るものであるが、第六実施例における注射器は、１ｍｌなど極めて少量の注入容量のために使用される。
【図面の簡単な説明】
【００３２】
【図１】従来の使い捨て注射器組立体の縦方向における断面図である。
【図２】針ユニットと共に注射器組立体を構成する本発明に係る注射器の第一実施例の分解斜視図である。
【図３】第一実施例に係る注射器組立体の斜視図である。
【図４】使用時における第一実施例に係る注射器組立体の縦方向における断面図である。
【図５】使用時における第一実施例に係る注射器組立体の縦方向における断面図である。
【図６】プランジャーのヘッド部が針シート部のグリップ部によって支持されている状態にある第一実施例に係る注射器組立体の縦方向における断面図である。
【図７】引込み状態にある第一実施例に係る注射器組立体の縦方向における断面図である。
【図８】針ユニットと共に注射器組立体を構成する本発明に係る注射器の第ニ実施例の縦方向における断面図である。
【図９】プランジャーのヘッド部が針シート部のグリップ部によって支持されている状態にある第ニ実施例に係る注射器組立体の縦方向における断面図である。
【図１０】引込み状態にある第ニ実施例に係る注射器組立体の縦方向における断面図である。
【図１１】針ユニットと共に注射器組立体を構成する本発明に係る注射器の第三実施例の縦方向における分解断面図である。
【図１２】引込み状態にある第三実施例に係る注射器組立体の縦方向における断面図である。
【図１３】針ユニットと共に使用される本発明に係る注射器の第四実施例の縦方向における欠切断面図である。
【図１４】針ユニットと共に使用される本発明に係る注射器の第五実施例の縦方向における欠切断面図である。
【図１５】針ユニットと共に使用される本発明に係る注射器の第六実施例の縦方向における欠切断面図である。
【符号の説明】
【００３３】
２０  筒
２１  通路
３０  針シート部
３３  端部
４０  針ユニット
５０、７０  プランジャー
５０ｂ  ヘッド部
５３ａ、７３  茎部
６０  周辺係合部
３２２  下位部分
３２３  上位部分
【図１】
2005065708.tif 000003
【図２】
2005065708.tif 000004
【図３】
2005065708.tif 000005
【図４】
2005065708.tif 000006
【図５】
2005065708.tif 000007
【図６】
2005065708.tif 000008
【図７】
2005065708.tif 000009
【図８】
2005065708.tif 000010
【図９】
2005065708.tif 000011
【図１０】
2005065708.tif 000012
【図１１】
2005065708.tif 000013
【図１２】
2005065708.tif 000014
【図１３】
2005065708.tif 000015
【図１４】
2005065708.tif 000016
【図１５】
2005065708.tif 000017
【外国語明細書】
2005065708.tif 000018
2005065708.tif 000019
2005065708.tif 000020
2005065708.tif 000021
2005065708.tif 000022
2005065708.tif 000023
2005065708.tif 000024
2005065708.tif 000025
2005065708.tif 000026
2005065708.tif 000027
2005065708.tif 000028
2005065708.tif 000029
2005065708.tif 000030
2005065708.tif 000031
2005065708.tif 000032
2005065708.tif 000033
2005065708.tif 000034
2005065708.tif 000035
2005065708.tif 000036
2005065708.tif 000037
2005065708.tif 000038
2005065708.tif 000039
2005065708.tif 000040
2005065708.tif 000041
2005065708.tif 000042
2005065708.tif 000043
2005065708.tif 000044
2005065708.tif 000045
2005065708.tif 000046
2005065708.tif 000047
2005065708.tif 000048
2005065708.tif 000049
2005065708.tif 000050
2005065708.tif 000051
2005065708.tif 000052
2005065708.tif 000053
2005065708.tif 000054
2005065708.tif 000055
2005065708.tif 000056